(57)【要約】【課題】Ｘ線防護ノレンの破損を切断落下前に検出可能なＸ線異物検査装置を提供する。【解決手段】防護ノレン１をゴムもしくは柔らかい樹脂の間に鉛等のＸ線を減衰させる物質を挟み、複数のヒダ部１１ａを設けた鉛入りゴム部材１１と、その両端上部に固着した棒材１２と、各ヒダ部１１ａの縁周に沿って配設した一本の導線１３と、その両端に接続されたコネクタプラグ１４から構成するとともに、この導線１３に電流を流し、導線の切断に伴う電流の有無を検出してヒダ部１１ａの破損を認知する。【選択図】          図１
0003116336.tif 000002
【実用新案登録請求の範囲】
【請求項１】
Ｘ線発生手段と、被検査物を透過したＸ線を検出するＸ線検出手段と、これらＸ線発生手段とＸ線検出手段が対向して設置され、被検査物の搬出入のための開口部を有するＸ線防護箱と、このＸ線防護箱の開口部を通して前記Ｘ線発生手段とＸ線検出手段の間に被検査物を搬出入する手段と、被検査物の搬入、搬出部の開口部から外部へＸ線が漏洩するのを防止するためのＸ線防護手段を備えたＸ線異物検査装置において、前記Ｘ線防護手段をヒダ部の縁周に沿って細い導線を配設したＸ線防護ノレンと、前記導線に一定の電流を流しその電流の有無を検出する電流検出回路にて構成したことを特徴とするＸ線異物検査装置。
【請求項２】
Ｘ線発生手段と、被検査物を透過したＸ線を検出するＸ線検出手段と、これらＸ線発生手段とＸ線検出手段が対向して設置され、被検査物の搬出入のための開口部を有するＸ線防護箱と、このＸ線防護箱の開口部を通して前記Ｘ線発生手段とＸ線検出手段の間に被検査物を搬出入する手段と、被検査物の搬入、搬出部の開口部から外部へＸ線が漏洩するのを防止するためのＸ線防護手段を備えたＸ線異物検査装置において、前記Ｘ線防護手段をヒダ部の縁周に沿ってガスまたは液体を満たした細管を配設したＸ線防護ノレンと、前記細管内のガスまたは液体の圧力または流量を検出する検出回路にて構成したことを特徴とするＸ線異物検査装置。
【考案の詳細な説明】
【技術分野】
【０００１】
本考案は、Ｘ線によって荷物や食品などに含まれる異物の有無を検査するＸ線異物検査装置に関する。
【背景技術】
【０００２】
従来、空港や港湾等における荷物や手荷物内の危険物の有無を検査する荷物検査装置や、食品の出荷、受け入れ工程での異物混入の有無を検査する食品検査装置には非破壊検査ができるＸ線荷物検査装置、異物検査装置あるいは放射線検査装置などと呼ばれるＸ線を照射して内部物体を検査するＸ線異物検査装置が一般的に用いられている。
【０００３】
この種の検査装置では、ベルトコンベアにて被検査物をＸ線管とＸ線検出器の間に搬入し、Ｘ線管で発生させたＸ線をベルトコンベア上の被検査物に照射し、被検査物を通過したＸ線を一次元Ｘ線検出器により検出して、その透過像または透過データにて異物の有無を判定している。すなわち、図６に示す通り、Ｘ線異物検査装置１００のＸ線防護箱１０１には、搬入口１０２と搬出口１０３が設けられ、その間を被検査物１０４が載置されたベルトコンベア１０５が貫通している。作業者は搬出口１０３あるいは搬入口１０２の近傍に立って異物検査の業務にあたるが、その作業者を漏洩Ｘ線から防護するため、通常搬入口１０２と搬出口１０３に近接してこれらの開口部からＸ線が外部に漏洩するのを防止するためのＸ線防護手段、具体的にはヒダ部を設けた鉛入りゴム製の防護ノレン１０６が配置されている。これらの構成は例えば特許文献１に開示されている。
【０００４】
【特許文献１】特開２００３−１５６４５６号公報
【考案の開示】
【考案が解決しようとする課題】
【０００５】
従来のＸ線異物検査装置１００はベルトコンベア１０５などで連続的に被検査物１０４を搬送検査する必要があるため、Ｘ線防護箱１０１の搬入口１０２及び搬出口１０３の開口部での漏洩Ｘ線量が最も大きくなっている。そのために搬入口１０２および搬出口１０３にはヒダ部を設けた鉛入りゴム製の防護ノレン１０６を設けて、漏洩Ｘ線から周囲の作業者を保護しているが、防護ノレン１０６が使用中に疲労破壊等でヒダ部が切断されたりしても、切断されたことを検出する手段が無く、そのためＸ線の漏洩に気づかず危険状態で作業を継続するという問題がある。また、防護ノレン１０６のヒダ部の切断が発生し、それに気づいた場合生産ラインの緊急停止を行うため生産工程の大幅な稼働率低下を招くという問題がある。
本考案は、このような事情に鑑みてなされたものであって、防護ノレンのヒダ部の切断を自動的に検出できるＸ線異物検査装置を提供することを目的とするものである。
【課題を解決するための手段】
【０００６】
上記の目的を達成するため、本考案のＸ線異物検査装置は、Ｘ線発生手段と、被検査物を透過したＸ線を検出するＸ線検出手段と、これらＸ線発生手段とＸ線検出手段が対向して設置され、被検査物の搬出入のための開口部を有するＸ線防護箱と、このＸ線防護箱の開口部を通して前記Ｘ線発生手段とＸ線検出手段の間に被検査物を搬出入する手段と、被検査物の搬入、搬出部の開口部から外部へＸ線が漏洩するのを防止するためのＸ線防護手段を備えたＸ線異物検査装置において、前記Ｘ線防護手段をヒダ部の縁周に沿って細い導線を配設したＸ線防護ノレンと、前記導線に一定の電流を流しその電流の有無を検出する電流検出回路にて構成した。
さらに、本考案のＸ線異物検査装置は、前記Ｘ線防護手段をヒダ部の縁周に沿ってガスまたは液体を満たした細管を配設したＸ線防護ノレンと、前記細管内のガスまたは液体の圧力または流量を検出する検出回路にて構成した。
【０００７】
本考案のＸ線異物検査装置は、上記のように構成されており、防護ノレンのヒダ部の切断あるいはその前兆を自動的に検出でき、Ｘ線の漏洩を防止することができる。
【考案の効果】
【０００８】
本考案のＸ線異物検査装置は、
１．防護ノレンのヒダ部の破損、切断等によるＸ線漏洩を事前に防止することができる。
２．防護ノレンのヒダ部の破損の前兆が検出でき破損前に交換でき、ラインの稼働率の低下を防ぐことができる。
【考案を実施するための最良の形態】
【０００９】
本考案が提供するＸ線異物検査装置の最良の形態は、Ｘ線発生手段と、被検査物を透過したＸ線を検出するＸ線検出手段と、これらＸ線発生手段とＸ線検出手段が対向して設置され、被検査物の搬出入のための開口部を有するＸ線防護箱と、このＸ線防護箱の開口部を通して前記Ｘ線発生手段とＸ線検出手段の間に被検査物を搬出入する手段と、被検査物の搬入、搬出部の開口部から外部へＸ線が漏洩するのを防止するためのＸ線防護手段を備えたＸ線異物検査装置において、前記Ｘ線防護手段をヒダ部の縁周に沿って細い導線を配設したＸ線防護ノレンと、前記導線に一定の電流を流しその電流の有無を検出する電流検出回路にて構成したものである。
【実施例１】
【００１０】
以下、本考案の提供するＸ線異物検査装置を、図面にしたがって説明する。図１（Ａ）は本考案が提供するＸ線異物検査装置のＸ線防護手段として用いられる防護ノレン１の構成を示す正面図、図１（Ｂ）はその側面図である。本防護ノレン１は、ゴムもしくは柔らかい樹脂の間に鉛等のＸ線を減衰させる物質を挟み、複数のヒダ部１１ａを設けた鉛入りゴム部材１１と、その両端上部に固着した棒材１２と、各ヒダ部１１ａの縁周に沿って接着材による接着又は熱接着等による接着で配設した一本の導線１３と、その両端に接続されたコネクタプラグ１４から構成されている。
【００１１】
図２は本Ｘ線異物検査装置２の構成を示す正面図（Ａ）とそのＡ−Ａ方向から見た上面図（Ｂ）である。本Ｘ線異物検査装置２は、Ｘ線管２１と高電圧回路等の付属回路（図示省略）からなるＸ線発生手段と、前記Ｘ線管２１と対向してベルトコンベア３の下部に設けられたＸ線検出器２２からなるＸ線検出手段と、前記Ｘ線管２１とＸ線検出器２２との間に被検査物を連続して搬送しＸ線管２１から放射したＸ線を被検査物に照射させるためのベルトコンベア３の搬送手段と、上記の各手段を内設し、Ｘ線の漏洩を防止する検査ボックス２３と、Ｘ線漏洩防止のために開口部２４側に設けられた防護ノレン１ａ、１ｂ及び開口部２５側に設けられた防護ノレン１ｃ、１ｄと各防護ノレンの破損を検出する破損検出器２６からなるＸ線防護手段と、前記Ｘ線検出器２２からの出力を画像処理する画像処理ユニット、Ｘ線画像を表示するモニタ及び操作器などからなる操作パネル（図示省略）等から構成されている。
【００１２】
前記検査ボックス２３の上部４隅には、前記防護ノレン１ａ、１ｂ、１ｃ、１ｄに固着された棒材１２を掛着するためのノレン掛着具２３ａが固定されている。また、前記破損検出器２６には、前記コネクタプラグ１４を接続するためのコネクタジャック（図示省略）が内蔵されている。
【００１３】
図３は、前記防護ノレン１ａ、１ｂ、１ｃ、１ｄと破損検出器２６により構成されるノレン破損を検出する電気回路を示す図である。防護ノレン１ａ、１ｂ、１ｃ、１ｄはそれぞれ電流供給源Ｉ、抵抗器Ｒ、設定電圧Ｅ、演算増幅器Ｍ、整流器Ｄおよび例えばＬＥＤ等のそれぞれの表示器Ｌ１〜Ｌ４からなる破損検出回路にコネクタプラグ１４を介して接続される。正常時各表示器Ｌ１〜Ｌ４は無点灯であるが例えば、防護ノレン１ａのヒダ部１１ａの縁周部分に疲労破壊が発生しその部分に配設された導線１３が切断されると、この防護ノレン１ａに接続される抵抗器Ｒへの電流供給源Ｉからの電流供給が無くなる。これにより抵抗器Ｒの電圧降下は０となり、前記設定電圧Ｅをプラスにしておくことにより演算増幅器Ｍの出力がプラス方向に増加し表示器Ｌ１が点灯される。本Ｘ線異物検査装置２の検査作業を行う作業者は、この表示器Ｌ１の点灯によりヒダ部１１ａが切断落下する前にＸ線の漏洩の危険を察知することができ、Ｘ線の漏洩に注意してＸ線異物検査装置２を停止し防護ノレン１ａの交換作業を行うことができる。なお、前記防護ノレン１ａは各ヒダ部１１ａの縁周を一本の導線１３で囲んでいるが、各ヒダ部１１ａ毎に導線１３を配設し、各導線１３毎に破損を検出する破損検出回路と表示器を設けるようにしてもよい。これにより、防護ノレン１ａの破損箇所を特定することができる。
【００１４】
図４は、前記防護ノレン１の変形例である防護ノレン４の構成を示す図である。この防護ノレン４は、前記鉛入りゴム部材１１のヒダ部１１ａの縁周に沿って、一端に圧力検出器４１を結合し不活性ガスまたは液体を圧入した後他端を熱接着して前記不活性ガスまたは液体を封入した合成樹脂製の細管４２を配設している。この防護ノレン４のヒダ部１１ａの疲労破壊に伴い細管４２が破損もしくは切断すると細管内部の圧力が低下し、前記圧力検出器４１の出力が低下する。この圧力検出器４１は警報器５に接続され、出力低下はランプ点灯やブザー発信によって作業者に伝達される。この防護ノレン４の場合は、鉛入りゴム部材１１上に電気回路が形成されていないので、引火性の被検査物の検査などに適している。
【００１５】
図５は、前記防護ノレン１の変形例である防護ノレン６の構成を示す図である。この防護ノレン６は、前記鉛入りゴム部材１１のヒダ部１１ａの縁周に沿って細管６４を配設し、その一端側に流量検出器６１、ポンプ６２及びタンク６３を順次連結するとともに、他端側を前記タンク６３の出口側に接続したものである。前記タンク６３内には不活性ガスもしくは液体が収容され、前記ポンプ６２によって細管６４内を循環している。この防護ノレン６のヒダ部１１ａが疲労破壊し、それに伴い細管６４が破損もしくは切断すると細管６４中の流体流量が減少し前記流量検出器６１の出力が低下する。この流量検出器６１を警報器５に接続し、出力低下をランプ点灯やブザー発信により作業者に知らせる。この防護ノレン６も防護ノレン４と同様鉛入りゴム部材１１上に電気回路を形成していないので、引火性の被検査物の検査などに適している。
【産業上の利用可能性】
【００１６】
本考案のＸ線異物検査装置は、Ｘ線による手荷物や食品などの異物検査を行う検査装置に用いられる。
【図面の簡単な説明】
【００１７】
【図１】本考案の実施例に係わる防護ノレン１の構成図である。
【図２】本考案によるＸ線異物検出装置の構成を示す側面図（Ａ）と上面図（Ｂ）である。
【図３】本考案の実施例に係わる破損検出部２６の回路構成図である。
【図４】本考案の実施例に係わる防護ノレン４の構成図である。
【図５】本考案の実施例に係わる防護ノレン６の構成図である。
【図６】従来のＸ線異物検査装置の構成例を示すである。
【符号の説明】
【００１８】
１、１ａ、１ｂ、１ｃ、１ｄ、４、６、１０６  防護ノレン
１１  鉛入りゴム部材
１１ａ  ヒダ部
１２  棒材
１３  導線
１４  コネクタプラグ
２  Ｘ線異物検査装置
２１  Ｘ線管
２２  Ｘ線検出器
２３  検査ボックス
２３ａ  ノレン掛着具
２４  開口部
２５  開口部
２６  破損検出器
３、１０５  ベルトコンベア
４１  圧力検出器
４２、６４  細管
５  警報器
６１  流量検出器
６２  ポンプ
６３  タンク
１００  Ｘ線異物検査装置
１０１  Ｘ線防護箱
１０２  搬入口
１０３  搬出口
１０４  被検査物
Ｄ  整流器
Ｅ  設定電圧
Ｉ  電流供給源
Ｌ１、Ｌ２、Ｌ３、Ｌ４  表示器
Ｍ  演算増幅器
Ｒ  抵抗器
【図１】
0003116336.tif 000003
【図２】
0003116336.tif 000004
【図３】
0003116336.tif 000005
【図４】
0003116336.tif 000006
【図５】
0003116336.tif 000007
【図６】
0003116336.tif 000008